【手続補正書】
【提出日】令和3年7月9日(2021.7.9)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ユーザ機器（ＵＥ）によって、ネットワークとの無線リソース制御（ＲＲＣ）接続を確立することと、
前記ＵＥによって、前記ＵＥがＲＲＣ−ＣＯＮＮＥＣＴＥＤモードにあり、無線リンク監視基準信号（ＲＬＭ−ＲＳ）リソースを用いて前記ネットワークによって構成される前に、同期信号（ＳＳ）ブロック（ＳＳＢ）基準信号またはチャネル状態情報基準信号（ＣＳＩ−ＲＳ）に基づいて、デフォルトＲＬＭ−ＲＳリソースを決定することと、
前記ＵＥによって、前記デフォルトＲＬＭ−ＲＳリソースに基づいてＲＬＭを実行することと
を備える、方法。
【請求項２】
前記デフォルトＲＬＭ−ＲＳリソースを決定することは、前記デフォルトＲＬＭ−ＲＳとして前記ＳＳＢ基準信号および前記ＣＳＩ−ＲＳの中から１つを選択することを備える、
請求項１に記載の方法。
【請求項３】
前記デフォルトＲＬＭ−ＲＳリソースを決定することは、１つまたは複数の制御リソースセット（ＣＯＲＥＳＥＴ）および探索空間に基づく、
請求項１に記載の方法。
【請求項４】
前記デフォルトＲＬＭ−ＲＳリソースを決定することは、前記１つまたは複数の構成されたＣＯＲＥＳＥＴの送信構成指示（ＴＣＩ）状態における空間擬似コロケーション（ＱＣＬ）パラメータに関連する基準信号に基づく、
請求項３に記載の方法。
【請求項５】
前記ネットワークから前記１つまたは複数の構成されたＣＯＲＥＳＥＴの前記ＴＣＩ状態における前記ＱＣＬパラメータを受信することをさらに備える、
請求項４に記載の方法。
【請求項６】
前記１つまたは複数の構成されたＣＯＲＥＳＥＴの前記ＴＣＩ状態における空間ＱＣＬパラメータに関連する前記基準信号は、前記ＳＳＢ基準信号または前記ＣＳＩ−ＲＳに対応する、
請求項４に記載の方法。
【請求項７】
前記デフォルトＲＬＭ−ＲＳリソースを決定することは、前記１つまたは複数の構成されたＣＯＲＥＳＥＴの前記ＴＣＩ状態における前記空間ＱＣＬパラメータに関連する前記ＳＳＢ基準信号または前記ＣＳＩ−ＲＳを前記デフォルトＲＬＭ−ＲＳと決定することを備える、
請求項４に記載の方法。
【請求項８】
前記ネットワークとのＲＲＣ接続を確立した後、ＲＬＭ−ＲＳリソースを用いて構成される前に、前記ＵＥによって、ＲＬＭおよび無線リンク失敗（ＲＬＦ）プロセスのためのパラメータの第１のセットを利用することと、
前記ネットワークとの無線リソース制御（ＲＲＣ）接続を確立した後に、前記ＵＥによって、ＲＬＭおよびＲＬＦプロセスのためのパラメータの前記第１のセットのうちの１つまたは複数を更新することと
をさらに備える、請求項１に記載の方法。
【請求項９】
第１のパラメータのうちの前記１つまたは複数を更新することは、前記第１のパラメータのうちの前記１つまたは複数を固定量だけ増加または減少させることを備える、請求項８に記載の方法。
【請求項１０】
ワイヤレス通信のための装置であって、
ネットワークとの無線リソース制御（ＲＲＣ）接続を確立するための手段と、
前記装置がＲＲＣ−ＣＯＮＮＥＣＴＥＤモードにあり、無線リンク監視基準信号（ＲＬＭ−ＲＳ）リソースを用いて前記ネットワークによって構成される前に、同期信号（ＳＳ）ブロック（ＳＳＢ）基準信号またはチャネル状態情報基準信号（ＣＳＩ−ＲＳ）に基づいて、デフォルトＲＬＭ−ＲＳリソースを決定するための手段と、
前記デフォルトＲＬＭ−ＲＳリソースに基づいてＲＬＭを実行するための手段と
を備える、装置。
【請求項１１】
前記デフォルトＲＬＭ−ＲＳリソースを決定するための前記手段は、前記デフォルトＲＬＭ−ＲＳとして前記ＳＳＢ基準信号および前記ＣＳＩ−ＲＳの中から１つを選択するための手段を備える、
請求項１０に記載の装置。
【請求項１２】
前記デフォルトＲＬＭ−ＲＳリソースを決定するための前記手段は、１つまたは複数の制御リソースセット（ＣＯＲＥＳＥＴ）および探索空間に基づく、
請求項１０に記載の装置。
【請求項１３】
前記デフォルトＲＬＭ−ＲＳリソースを決定するための前記手段は、前記１つまたは複数の構成されたＣＯＲＥＳＥＴの送信構成指示（ＴＣＩ）状態における空間擬似コロケーション（ＱＣＬ）パラメータに関連する基準信号に基づく、
請求項１２に記載の装置。
【請求項１４】
前記１つまたは複数の構成されたＣＯＲＥＳＥＴの前記ＴＣＩ状態における空間ＱＣＬパラメータに関連する前記基準信号は、前記ＳＳＢ基準信号または前記ＣＳＩ−ＲＳに対応する、
請求項１３に記載の装置。
【請求項１５】
前記デフォルトＲＬＭ−ＲＳリソースを決定するための前記手段は、前記１つまたは複数の構成されたＣＯＲＥＳＥＴの前記ＴＣＩ状態における前記空間ＱＣＬパラメータに関連する前記ＳＳＢ基準信号または前記ＣＳＩ−ＲＳを前記デフォルトＲＬＭ−ＲＳと決定するための手段を備える、
請求項１３に記載の装置。
【請求項１６】
ワイヤレス通信のための装置であって、
少なくとも１つのプロセッサと、
前記少なくとも１つのプロセッサに結合されたメモリと、
前記メモリに記憶された命令と
を備え、前記命令は、前記装置に、
ネットワークとの無線リソース制御（ＲＲＣ）接続を確立することと、
前記装置がＲＲＣ−ＣＯＮＮＥＣＴＥＤモードにあり、無線リンク監視基準信号（ＲＬＭ−ＲＳ）リソースを用いて前記ネットワークによって構成される前に、同期信号（ＳＳ）ブロック（ＳＳＢ）基準信号またはチャネル状態情報基準信号（ＣＳＩ−ＲＳ）に基づいて、デフォルトＲＬＭ−ＲＳリソースを決定することと、
前記デフォルトＲＬＭ−ＲＳリソースに基づいてＲＬＭを実行することと
を行わせるように前記少なくとも１つのプロセッサによって実行可能である、
装置。
【請求項１７】
前記命令は、前記装置に、前記デフォルトＲＬＭ−ＲＳとして前記ＳＳＢ基準信号および前記ＣＳＩ−ＲＳの中から１つを選択させるように前記少なくとも１つのプロセッサによってさらに実行可能である、
請求項１６に記載の装置。
【請求項１８】
前記命令は、前記装置に、１つまたは複数の制御リソースセット（ＣＯＲＥＳＥＴ）および探索空間に基づいて前記デフォルトＲＬＭ−ＲＳリソースを決定させるように前記少なくとも１つのプロセッサによってさらに実行可能である、
請求項１６に記載の装置。
【請求項１９】
前記命令は、前記装置に、前記１つまたは複数の構成されたＣＯＲＥＳＥＴの送信構成指示（ＴＣＩ）状態における空間擬似コロケーション（ＱＣＬ）パラメータに関連する基準信号に基づいて前記デフォルトＲＬＭ−ＲＳリソースを決定させるように前記少なくとも１つのプロセッサによってさらに実行可能である、
請求項１８に記載の装置。
【請求項２０】
前記命令は、前記装置に、前記ネットワークから前記１つまたは複数の構成されたＣＯＲＥＳＥＴの前記ＴＣＩ状態における前記ＱＣＬパラメータを受信させるように前記少なくとも１つのプロセッサによってさらに実行可能である、
請求項１９に記載の装置。
【請求項２１】
前記１つまたは複数の構成されたＣＯＲＥＳＥＴの前記ＴＣＩ状態における空間ＱＣＬパラメータに関連する前記基準信号は、前記ＳＳＢ基準信号または前記ＣＳＩ−ＲＳに対応する、
請求項１９に記載の装置。
【請求項２２】
前記命令は、前記装置に、前記１つまたは複数の構成されたＣＯＲＥＳＥＴの前記ＴＣＩ状態における前記空間ＱＣＬパラメータに関連する前記ＳＳＢ基準信号または前記ＣＳＩ−ＲＳを前記デフォルトＲＬＭ−ＲＳと決定させるように前記少なくとも１つのプロセッサによってさらに実行可能である、
請求項１９に記載の装置。
【手続補正２】
【補正対象書類名】明細書
【補正対象項目名】００８８
【補正方法】変更
【補正の内容】
【００８８】
[0096]  特許請求の範囲は、上記に示されたとおりの構成およびコンポーネントに限定されないことが理解されるべきである。本願の特許請求の範囲から逸脱することなく、様々な変更、交換、および変形が、上述された方法および装置の配置、動作、および細部に対して行われ得る。
以下に本願発明の当初の特許請求の範囲に記載された発明を付記する。
［Ｃ１］
ユーザ機器（ＵＥ）からのワイヤレス通信のための方法であって、
ネットワークとの無線リソース制御（ＲＲＣ）接続を確立した後、無線リンク監視（ＲＬＭ）のために監視すべきリソースを用いて構成される前に、前記ＲＬＭのために監視すべきリソースを決定することと、
前記決定されたリソースに基づいてＲＬＭを実行することと
を備える、方法。
［Ｃ２］
前記決定されたリソースは、ランダムアクセスチャネル（ＲＡＣＨ）プロシージャ中に測定および報告された１つまたは複数のビームを備える、Ｃ１に記載の方法。
［Ｃ３］
前記１つまたは複数のビームは、ランダムアクセスプリアンブル送信の後に第１のアップリンクメッセージ中で報告され、前記第１のアップリンクメッセージは、ＲＲＣ接続要求メッセージである、Ｃ２に記載の方法。
［Ｃ４］
前記１つまたは複数のビームは、ランダムアクセス応答（ＲＡＲ）メッセージ送信中に使用される１つまたは複数のビームを備える、Ｃ２に記載の方法。
［Ｃ５］
前記ＵＥは、前記ＲＡＲメッセージの後の第１のアップリンクメッセージにおいて、前記ＲＡＲメッセージのために使用される前記１つまたは複数のビームのうちの１つのより好ましいビームを報告し、
前記ＲＡＲメッセージの後の後続のダウンリンクメッセージは、前記報告されたビームのうちの１つを使用して送信される、
Ｃ４に記載の方法。
［Ｃ６］
初期アクセス中に決定された前記ビームは、ランダムアクセス応答（ＲＡＲ）送信のために使用され、ＲＲＣ接続要求メッセージにおけるビーム報告が存在しない場合、前記決定されたリソースとして使用される、
Ｃ２に記載の方法。
［Ｃ７］
前記ＵＥがＲＲＣ−ＣＯＮＮＥＣＴＥＤモードにあり、１つまたは複数の制御リソースセット（ＣＯＲＥＳＥＴ）および探索空間を用いて構成されているが、ＲＬＭ基準信号（ＲＳ）を用いて構成される前に、前記ＵＥは、ＲＬＭのために監視すべき前記リソースを決定する、
Ｃ１に記載の方法。
［Ｃ８］
ＲＬＭのために監視すべき前記リソースは、前記１つまたは複数の構成されたＣＯＲＥＳＥＴに関連する送信構成指示（ＴＣＩ）状態における空間擬似コロケーション（ＱＣＬ）パラメータに関連する基準信号（ＲＳ）リソースを備える、Ｃ７に記載の方法。
［Ｃ９］
前記ＵＥがランダムアクセスチャネル（ＲＡＣＨ）プロシージャの後にＭ個のＣＯＲＥＳＥＴで構成されるとき、前記ＵＥは、前記ＲＡＣＨプロシージャ中に測定および報告された前のＮ個のＲＬＭ−ＲＳを置き換えるために、Ｍ個のＲＬＭ−ＲＳを使用する、
Ｃ８に記載の方法。
［Ｃ１０］
ＮはＭより大きく、
Ｍ個のＲＬＭ−ＲＳは、１つまたは複数の基準に基づいてＮ個のＲＬＭ−ＲＳのサブセットのみを置き換える、
Ｃ９に記載の方法。
［Ｃ１１］
ＲＳがデフォルトＲＬＭ−ＲＳであると決定することと、
ネットワーク（ＮＷ）を使用して、前記決定に応答して、周期的に既知のパターンを有する前記ＲＬＭ−ＲＳを送信することと
をさらに備える、Ｃ１に記載の方法。
［Ｃ１２］
ネットワークとの無線リソース制御（ＲＲＣ）接続を確立した後、ＲＬＭのために監視すべきリソースを用いて構成される前に、ＲＬＭおよび無線リンク失敗（ＲＬＦ）プロセスのためのパラメータの第１のセットを利用することと、
ネットワークとの無線リソース制御（ＲＲＣ）接続を確立した後に、ＲＬＭおよびＲＬＦプロセスのためのパラメータの前記第１のセットのうちの１つまたは複数を更新することと
をさらに備える、Ｃ１に記載の方法。
［Ｃ１３］
第１のパラメータのうちの１つまたは複数を更新することは、前記第１のパラメータのうちの１つまたは複数を固定量だけ増加または減少させることを備える、Ｃ１２に記載の方法。
［Ｃ１４］
ユーザ機器（ＵＥ）からのワイヤレス通信のための装置であって、
ネットワークとの無線リソース制御（ＲＲＣ）接続を確立した後、無線リンク監視（ＲＬＭ）のために監視すべきリソースを用いて構成される前に、前記ＲＬＭのために監視すべきリソースを決定するための手段と、
前記決定されたリソースに基づいてＲＬＭを実行するための手段と
を備える、装置。
［Ｃ１５］
前記決定されたリソースは、ランダムアクセスチャネル（ＲＡＣＨ）プロシージャ中に測定および報告された１つまたは複数のビームを備える、Ｃ１４に記載の装置。
［Ｃ１６］
前記１つまたは複数のビームは、ランダムアクセスプリアンブル送信の後に第１のアップリンクメッセージ中で報告され、前記第１のアップリンクメッセージは、ＲＲＣ接続要求メッセージである、Ｃ１５に記載の装置。
［Ｃ１７］
前記１つまたは複数のビームは、ランダムアクセス応答（ＲＡＲ）メッセージ送信中に使用される１つまたは複数のビームを備える、Ｃ１５に記載の装置。
［Ｃ１８］
前記ＵＥは、前記ＲＡＲメッセージの後の第１のアップリンクメッセージにおいて、前記ＲＡＲメッセージのために使用される前記１つまたは複数のビームのうちの１つのより好ましいビームを報告し、
前記ＲＡＲメッセージの後の後続のダウンリンクメッセージは、前記報告されたビームのうちの１つを使用して送信される、
Ｃ１７に記載の装置。
［Ｃ１９］
初期アクセス中に決定された前記ビームは、ランダムアクセス応答（ＲＡＲ）送信のために使用され、ＲＲＣ接続要求メッセージにおけるビーム報告が存在しない場合、前記決定されたリソースとして使用される、
Ｃ１５に記載の装置。
［Ｃ２０］
前記ＵＥがＲＲＣ−ＣＯＮＮＥＣＴＥＤモードにあり、１つまたは複数の制御リソースセット（ＣＯＲＥＳＥＴ）および探索空間を用いて構成されているが、ＲＬＭ基準信号（ＲＳ）を用いて構成される前に、前記ＵＥは、ＲＬＭのために監視すべき前記リソースを決定する、
Ｃ１４に記載の装置。
［Ｃ２１］
ＲＬＭのために監視すべき前記リソースは、前記１つまたは複数の構成されたＣＯＲＥＳＥＴに関連する送信構成指示（ＴＣＩ）状態における空間擬似コロケーション（ＱＣＬ）パラメータに関連する基準信号（ＲＳ）リソースを備える、Ｃ２０に記載の装置。
［Ｃ２２］
前記ＵＥがランダムアクセスチャネル（ＲＡＣＨ）プロシージャの後にＭ個のＣＯＲＥＳＥＴで構成されるとき、前記ＵＥは、前記ＲＡＣＨプロシージャ中に測定および報告された前のＮ個のＲＬＭ−ＲＳを置き換えるために、Ｍ個のＲＬＭ−ＲＳを使用する、
Ｃ２１に記載の装置。
［Ｃ２３］
ＮはＭより大きく、
Ｍ個のＲＬＭ−ＲＳは、１つまたは複数の基準に基づいてＮ個のＲＬＭ−ＲＳのサブセットのみを置き換える、
Ｃ２２に記載の装置。
［Ｃ２４］
ＲＳがデフォルトＲＬＭ−ＲＳであると決定するための手段と、
ネットワーク（ＮＷ）を使用して、前記決定に応答して、周期的に既知のパターンを有する前記ＲＬＭ−ＲＳを送信するための手段と
をさらに備える、Ｃ１４に記載の装置。
［Ｃ２５］
ネットワークとの無線リソース制御（ＲＲＣ）接続を確立した後、ＲＬＭのために監視すべきリソースを用いて構成される前に、ＲＬＭおよび無線リンク失敗（ＲＬＦ）プロセスのためのパラメータの第１のセットを利用するための手段と、
ネットワークとの無線リソース制御（ＲＲＣ）接続を確立した後に、ＲＬＭおよびＲＬＦプロセスのためのパラメータの前記第１のセットのうちの１つまたは複数を更新するための手段と
をさらに備える、Ｃ１４に記載の装置。
［Ｃ２６］
第１のパラメータのうちの１つまたは複数を更新するための手段は、前記第１のパラメータのうちの１つまたは複数を固定量だけ増加または減少させるための手段を備える、Ｃ２５に記載の装置。
［Ｃ２７］
ユーザ機器（ＵＥ）からのワイヤレス通信のための装置であって、
ネットワークとの無線リソース制御（ＲＲＣ）接続を確立した後、無線リンク監視（ＲＬＭ）のために監視すべきリソースを用いて構成される前に、前記ＲＬＭのために監視すべきリソースを決定し、前記決定されたリソースに基づいてＲＬＭを実行するように構成された少なくとも１つのプロセッサと、
前記少なくとも１つのプロセッサに結合されたメモリと
を備える、装置。
［Ｃ２８］
命令を記憶するコンピュータ可読媒体であって、
ネットワークとの無線リソース制御（ＲＲＣ）接続を確立した後、無線リンク監視（ＲＬＭ）のために監視すべきリソースを用いて構成される前に、前記ＲＬＭのために監視すべきリソースを決定することと、
前記決定されたリソースに基づいてＲＬＭを実行することと
を行うための、コンピュータ可読媒体。